(57)【要約】【課題】支持体の嵌入孔から光学シート側へ埃が浸入するのを防ぐことができるとともに、軸体の取付けを簡易にできる光源装置及びこれを備える表示装置を提供する。【解決手段】表示パネル１の裏側に配されるランプ２と、該ランプ２及び表示パネル１の間に配される光学シート３とを支持する支持体４の、光学シート３の端縁に臨むべき位置に嵌入孔４３を設け、支持体４の非光学シート側から嵌入孔４３に嵌入されている小径の螺子部６１、及び該螺子部６１に連なり、支持体４の非光学シート側に配されている大径部６２を有し、光学シート３の端縁に当接して該光学シート３の面に沿う方向へ光学シート３が移動するのを規制すべき軸体６を備え、該軸体６の大径部６２が嵌入孔４３を塞ぐようにした。【選択図】図１
2008292690.tif 000002
【特許請求の範囲】
【請求項１】
表示パネルの裏側に配されるランプと、該ランプ及び前記表示パネルの間に配される光学シートを支持する支持体とを備える光源装置において、前記支持体は、前記光学シートの端縁に臨むべき位置に嵌入孔を有し、前記光学シートの端縁に当接して該光学シートの面に沿う方向へ光学シートが移動するのを規制すべき軸体を前記嵌入孔に嵌入してあることを特徴とする光源装置。
【請求項２】
前記嵌入孔は雌螺子を有し、前記軸体は雄螺子である請求項１記載の光源装置。
【請求項３】
前記軸体は前記嵌入孔に圧入されているピンである請求項１記載の光源装置。
【請求項４】
前記軸体は、前記支持体の非光学シート側から前記嵌入孔に嵌入されている小径軸部、及び該小径軸部に連なり、前記支持体の非光学シート側に配されている大径軸部を有する請求項２又は３記載の光源装置。
【請求項５】
前記軸体は、前記支持体の光学シート側から前記嵌入孔に嵌入されている小径軸部、及び該小径軸部に連なり、前記支持体の光学シート側に配されている大径軸部を有する請求項２又は３記載の光源装置。
【請求項６】
表示パネルと、該表示パネルの周縁部を保持する保持枠体と、前記表示パネルの裏側に配されている請求項１から５のいずれか一つに記載の光源装置とを備え、前記光学シートの端縁に当接して該光学シートを前記軸体と離隔する方向へ押付けるべき押付部を前記保持枠体に設けてあることを特徴とする表示装置。
【発明の詳細な説明】
【技術分野】
【０００１】
本発明は液晶表示装置等の表示装置の光源として使用される光源装置及びこれを備える表示装置に関する。
【背景技術】
【０００２】
テレビジョン等の表示装置は、画像を表示する表示パネルの裏側に光源装置が配される。
【０００３】
表示装置は、直方体をなす表示パネルと、該表示パネルの裏側に縦に離隔して並置される複数本のランプと、夫々のランプを収容支持する支持体と、該支持体内に収容され、ランプが発光した光を反射させる反射シートと、ランプ及び表示パネルの間に配置され、前記反射シートが反射した光を拡散する反射偏光板、プリズムシート、拡散シート、拡散板等が積層された光学シートと、該光学シートの周縁部を前記支持体に押圧して取付ける押圧枠体とを備える（例えば、特許文献１参照）。
【特許文献１】特開２００６−２１５４９２号公報
【発明の開示】
【発明が解決しようとする課題】
【０００４】
ところが、従来の表示装置は、表示パネルが組み込まれる際に、該表示パネルと光学シートとの間に押圧枠体が配置され、表示パネルを支持体に取付けることにより、押圧枠体が光学シートを押圧し、光学シートのシート面に沿う方向への移動を阻止するように構成されているため、表示パネルが組込まれていない光源装置、即ち、ランプ及び光学シートを支持体が支持している光源装置においては、光学シートの面に沿う方向へ光学シートが移動可能である。従って、光源装置が搬送される際、光学シートがシートの面に沿う方向へ移動し、光学シートが支持体内へ脱落したり、光学シートが傷付いたりすることがある。
【０００５】
図９は本発明出願人が先に開発した表示装置の構成を示す断面図、図１０は先に開発した表示装置の構成を示す分解図、図１１は先に開発した表示装置の規制部材の構成を示す斜視図、図１２は先に開発した表示装置の支持体の一部の構成を示すもので、(a) は正面図、(b) は側面図である。この表示装置は、周縁部が二つの保持枠体１００，１０１に保持されている表示パネル１０２と、該表示パネル１０２の裏側に配置されている複数本のランプ１０３と、該ランプ１０３を収容支持してある支持体１０４と、ランプ１０３及び表示パネル１０２との間に配され、周縁部が支持体１０４に支持されている光学シート１０５と、該光学シート１０５がシートの面に沿う方向へ移動するのを規制するフォーク形状の規制部材１０６とを有する。規制部材１０６は相互に離隔する四つのフォーク片１０６ａ，１０６ｂ，１０６ｃ，１０６ｄを有し、フォーク片１０６ａ，１０６ｂ，１０６ｃ，１０６ｄ夫々に被係止凸部が設けられている。
【０００６】
支持体１０４は直方体をなす箱部の開放側に、光学シート１０５のシート面に沿う扁平のシート受部１０７と、該シート受部１０７に連なる補強片１０８とを有し、シート受部１０７及び補強片１０８に、フォーク形状の規制部材１０６を挿通係止するための二つの挿通用角孔１０９，１０９、二つの係止用角孔１１０，１１０が開設されている。シート受部１０７の挿通用角孔１０９，１０９はシート受部１０７から補強片１０８に亘って開設され、補強片１０８の係止用角孔１１０，１１０は挿通用角孔１０９，１０９と離隔して開設され、規制部材１０６の四つのフォーク片１０６ａ，１０６ｂ，１０６ｃ，１０６ｄを二つの挿通用角孔１０９，１０９に挿通し、長フォーク片１０６ａ，１０６ｂの被係止凸部を係止用角孔１１０，１１０に係止し、短フォーク片１０６ｃ，１０６ｄの被係止凸部を挿通用角孔１０９，１０９の縁部に係止することにより、規制部材１０６が取付けられている。
【０００７】
しかし、この表示装置にあっては、支持体１０４に開設されている角孔と、角孔に挿通係止されている規制部材１０６との間に隙間が発生し、該隙間から光学シート１０５側へ埃が浸入し易いし、また、一つの規制部材１０６に対して複数の角孔が開設されているため、規制部材１０６を取付け難いし、また、規制部材１０６は四つのフォーク片を有する特殊な形状に成形されているため、規制部材１０６用の成形型が必要であり、改善策が要望されていた。
【０００８】
本発明は斯かる事情に鑑みてなされたものであり、主たる目的は支持体の嵌入孔から光学シート側へ埃が浸入するのを防ぐことができるとともに、軸体の取付けを簡易にできる光源装置、及び表示装置を提供することにある。
【課題を解決するための手段】
【０００９】
本発明に係る光源装置は、表示パネルの裏側に配されるランプと、該ランプ及び前記表示パネルの間に配される光学シートを支持する支持体とを備える光源装置において、前記支持体は、前記光学シートの端縁に臨むべき位置に嵌入孔を有し、前記光学シートの端縁に当接して該光学シートの面に沿う方向へ光学シートが移動するのを規制すべき軸体を前記嵌入孔に嵌入してあることを特徴とする。
【００１０】
この発明にあっては、支持体の嵌入孔に軸体を嵌入してあるため、支持体の嵌入孔から光学シート側へ埃が浸入するのを防ぐことができ、また、軸体を嵌入孔に嵌入することにより、該軸体を取付けることができるため、軸体の取付けを簡易にできる。
【００１１】
また、本発明に係る光源装置は、前記嵌入孔は雌螺子であり、前記軸体は雄螺子であることが好ましい。
この発明にあっては、軸体としてビス等の汎用の雄螺子を用いることができ、軸体をより一層簡易に取付けることができ、また、軸体のコスト、ひいては光源装置のコストを低減できる。
【００１２】
また、本発明に係る光源装置は、前記軸体は前記嵌入孔に圧入されているピンであることが好ましい。
この発明にあっては、螺子加工を行うことなく軸体を取付けることができ、支持体のコスト、ひいては光源装置のコストを低減できる。
【００１３】
また、本発明に係る光源装置は、前記軸体は、前記支持体の非光学シート側から前記嵌入孔に嵌入されている小径軸部、及び該小径軸部に連なり、前記支持体の非光学シート側に配されている大径軸部を有するのが好ましい。
この発明にあっては、嵌入孔よりも大径の大径部により嵌入孔を塞ぐことができるため、寸法誤差及び熱膨張に影響されることなく、嵌入孔を確実に塞ぐことができる。
【００１４】
また、本発明に係る光源装置は、前記軸体は、前記支持体の光学シート側から前記嵌入孔に嵌入されている小径軸部、及び該小径軸部に連なり、前記支持体の光学シート側に配されている大径軸部を有するのが好ましい。
この発明にあっては、嵌入孔よりも大径の大径軸部により嵌入孔を塞ぐことができるため、寸法誤差及び熱膨張に影響されることなく、嵌入孔を確実に塞ぐことができる。
【００１５】
また、本発明に係る表示装置は、表示パネルと、該表示パネルの周縁部を保持する保持枠体と、前記表示パネルの裏側に配されている前述の発明の光源装置とを備え、前記光学シートの端縁に当接して該光学シートを前記軸体と離隔する方向へ押付けるべき押付部を前記保持枠体に設けてあるのが好ましい。
【００１６】
この発明にあっては、表示パネルに関係なく光学シートのシート面に沿う方向への移動を規制することができるため、表示パネルが組み込まれるまでの間に光学シートの移動による傷付きを防ぐことができる。また、光学シートが軸体側へ位置ずれしている状態で表示パネルが組込まれる際、表示パネル側の押付部により光学シートを軸体と離隔する方向へ移動させることができ、光学シートの位置を自動的に修正することができる。
【発明の効果】
【００１７】
以上詳述したように本発明によれば、支持体の嵌入孔から光学シート側へ埃が浸入するのを防ぐことができ、しかも、軸体の取付けを簡易にできる。
【発明を実施するための最良の形態】
【００１８】
以下本発明をその実施の形態を示す図面に基づいて詳述する。
実施の形態１
図１は本発明に係る光源装置が組み込まれている表示装置の構成を示す断面図、図２は表示装置の構成を示す分解した断面図である。
【００１９】
この表示装置はテレビ画像を表示する表示パネル１と、該表示パネル１の裏側に配置された光源装置Ａと、該光源装置Ａのランプ２及び表示パネル１の間に配置された光学シート３と、表示パネル１の周縁部を取囲む四角形をなすフロントキャビネットと、光源装置Ａを覆うバックキャビネットとを備える液晶テレビジョン、換言すれば液晶表示装置である。
【００２０】
表示パネル１は、前側に画像表示面を有し直方体をなすパネル本体１１と、該パネル本体１１の周縁部を前後に挟んで保持した四角形をなす内外の保持枠体１２，１３とを備え、複数のボルトにより保持枠体１２，１３が光源装置Ａの後記する支持体４に取着されている。保持枠体１２，１３は表示パネル１を挾着する環板部１２ａ，１３ａと、該環板部１２ａ，１３ａの外端から後方へ向けて延出されている枠部１２ｂ，１３ｂとを有し、内側の保持枠体１２の環板部１２ａの裏面に、光学シート３の周縁部表面に当接して、光学シート３の周縁部を支持体４に押圧する押圧部１４が設けられており、また、内側の保持枠体１２の枠部１２ｂに、螺子孔を有する複数の取付片が設けられている。
【００２１】
光学シート３は反射偏光板、プリズムシート、拡散シート、拡散板等が積層されており、表示パネル１に対応する大きさの直方体をなし、周縁部裏面が後記する反射シート５の鍔部５ａに接触している。
【００２２】
光源装置Ａは、複数本が縦に並置される円筒形をなすランプ２と、該ランプ２を収容支持し、且つ光学シート３の周縁部を支持する箱形をなす支持体４と、光学シート３の端縁に当接して該光学シート３の面に沿う方向へ光学シート３が移動するのを規制すべき軸体６と、支持体４の裏壁に沿って配置され、支持体４内に収容されているランプ２が発光した光を支持体４の開放側へ反射させる反射シート５とを備える。
【００２３】
ランプ２は両端部に電極を有する冷陰極管であり、支持体４内の両側に並設された凹形保持部に両端部が保持される。
【００２４】
支持体４は直方体をなし、表側が開放されている箱部４１と、該箱部４１の周壁端縁から光学シート３のシート面に沿って外方へ延出され、光学シート３の周縁部を支持するシート受部４２と、箱部４１の周壁から外方へ延出され、表示パネル１の保持枠体１２が取付けられる複数の取付片とを有し、該取付片に螺子孔開設されている。シート受部４２は、光学シート３の周縁部裏面に沿って扁平に形成されている。
【００２５】
短辺側の二つのシート受部４２，４２で、光学シート３の端縁に臨むべき位置には円形をなし、雌螺子を有する嵌入孔４３が開設されており、また、シート受部４２の外縁から後方へ延出された補強片４４が一体に設けられている。嵌入孔４３は上下に離隔した複数の位置に開設されている。
【００２６】
長辺側の上下二つのシート受部４２，４２には、該シート受部４２，４２の外縁から前方へ延出され、光学シート３の周縁と対向して該光学シート３の上下方向への移動を制限する制限片が一体に設けられている。
【００２７】
軸体６は、支持体４の光学シート３と反対側（後側）から嵌入孔４３に嵌入されている小径の螺子部６１、及び該螺子部６１に連なり、支持体４の光学シート３と反対側に配されている大径部６２を有する汎用のビス等の雄螺子であり、支持体４の後側から螺子部６１を嵌入孔４３に捩じ込むことにより、大径部６２の端面が嵌入孔４３の縁周りに当接し、固定することができるように構成されている。螺子部６１はシート受部４２からの長さが、光学シート３のシート厚よりも若干長くなっている。
【００２８】
以上のように構成された表示装置は、表示パネル１の組立てラインと別の組立てライン上で光源装置Ａが組立てられ、該光源装置Ａ及び表示パネル１がさらに別の組立てライン上に搬送され、表示パネル１の保持枠体１２が光源装置Ａの支持体４に取着され、該支持体４の後側にスタンドが取着され、該スタンドが表示パネル１及び光源装置Ａを起立させた状態で、フロントキャビネット及びバックキャビネットが支持体４に取着される。
【００２９】
光源装置Ａの組立ては、開放縁が上向となるように作業台に載置された支持体４内に反射シート５及びランプ２を組込み、支持体４の外側から軸体６の螺子部６１を嵌入孔４３に捩じ込み、軸体６をシート受部４２に取付けた後、光学シート３の拡散板、拡散シート、プリズムシート及び反射偏光板を順次支持体４のシート受部４２に載置して支持する。この際、軸体６は螺子部６１がシート受部４２から突出し、光学シート３の端縁と対向するため、光学シート３が上側となるように横置きにして光源装置Ａが搬送される際、振動等により光学シート３がシート面に沿う方向へ移動することがあっても、この光学シート３の移動を軸体６の螺子部６１で規制することができる。因って、表示パネル１が組込まれるまでの間に光学シート３の移動による傷付きを防ぐことができる。
【００３０】
表示パネル１が光源装置Ａの支持体４に取着される際、表示パネル１の押圧部１４が光学シート３の周縁部表面に当接し、光学シート３の周縁部をシート受部４２に押圧するため、光学シート３の移動は阻止される。
【００３１】
また、雌螺子を有する嵌入孔４３とし、軸体６をビス等の汎用の雄螺子とすることにより、軸体６をより一層簡易に取付けることができるとともに、コストを低減できる。
【００３２】
また、支持体４の非光学シート側から嵌入孔４３に嵌入されている小径の螺子部６１、及び該螺子部６１に連なり、支持体４の非光学シート側に配されている大径部６２を軸体６が有するため、寸法誤差及び熱膨張に影響されることなく、嵌入孔４３を確実に塞ぐことができる。
【００３３】
実施の形態２
図３は表示装置の他の構成を示す断面図、図４は表示装置の他の構成を示す分解した断面図である。この表示装置は、表示パネル１の周縁部を保持する内側の保持枠体１２に、光学シート３の端縁に当接して該光学シート３をシート面に沿う方向で、且つ軸体６と離隔する方向へ押付けるべき押付部１５を設けたものである。
【００３４】
押付部１５は押圧部１４と枠部１２ｂとの間で、押圧部１４よりもシート受部４２側に配され、光学シート３の端縁と対向する面に、光学シート３のシート面に対して傾斜する押付面１５ａを有する。また、押付部１５は軸体６に対応する箇所に凹所１５ｂを設けてあり、押付部１５が軸体６に当たらないように構成されている。
【００３５】
この表示装置にあっては、支持体４のシート受部４２に支持されている光学シート３が軸体６側へ位置ずれしている状態で表示パネル１が光学シート３上に載置される際、押付部１５の押付面１５ａが光学シート３の端縁に当接し、該光学シート３を軸体６と離隔する側へ押付けることができ、光学シート３の位置を自動的に修正することができる。
その他の構成及び作用は実施の形態１と同様であるため、同様の部品については同じ符号を付し、その詳細な説明及び作用効果の説明を省略する。
【００３６】
実施の形態３
図５は表示装置の他の構成を示す断面図、図６は表示装置の他の構成を示す分解した断面図である。この表示装置は、実施の形態１、２のように汎用のビス等の雄螺子が軸体６である構成とする代わりに、支持体４の光学シート３側から嵌入孔４３に嵌入されている小径の螺子部６１、及び該螺子部６１に連なり、支持体４の光学シート３側に配されている大径軸部６３を有する軸体６を備える構成としたものである。
【００３７】
軸体６は雄螺子であり、支持体４の前側から螺子部６１を嵌入孔４３に捩じ込むことにより、大径軸部６３の端面が嵌入孔４３の縁周りに当接し、固定することができるように構成されている。
【００３８】
大径軸部６３は円柱形をなし、シート受部４２からの長さが、光学シート３のシート厚よりも若干長くなっている。
【００３９】
この表示装置にあっては、光学シート３が上側となるように横置きにして光源装置Ａが搬送される際、振動等により光学シート３がシート面に沿う方向へ移動することがあっても、この光学シート３の移動を軸体６の大径軸部６３で規制することができ、また、寸法誤差及び熱膨張に影響されることなく、嵌入孔４３を確実に塞ぐことができる。
その他の構成及び作用は実施の形態１、２と同様であるため、同様の部品については同じ符号を付し、その詳細な説明及び作用効果の説明を省略する。
【００４０】
実施の形態４
図７は表示装置の他の構成を示す断面図、図８は表示装置の他の構成を示す分解した断面図である。この表示装置は、軸体６を、実施の形態３の構成とし、表示パネル１を、実施の形態２の構成としたものである。
【００４１】
軸体６は、支持体４の光学シート３側から嵌入孔４３に嵌入されている小径の螺子部６１、及び該螺子部６１に連なり、支持体４の光学シート３側に配されている大径軸部６３を有し、支持体４の前側から螺子部６１を嵌入孔４３に捩じ込むことにより、大径軸部６３の端面が嵌入孔４３の縁周りに当接し、固定することができるように構成されている。
【００４２】
表示パネル１の内側の保持枠体１２には、光学シート３の端縁に当接して該光学シート３を軸体６と離隔する方向へ押付けるべき押付部１５を設けてある。この押付部１５は押圧部１４と枠部１２ｂとの間で、押圧部１４よりもシート受部４２側に配され、光学シート３の端縁と対向する面に、光学シート３のシート面に対して傾斜する押付面１５ａを有する。
その他の構成及び作用は実施の形態１、２、３と同様であるため、同様の部品については同じ符号を付し、その詳細な説明及び作用効果の説明を省略する。
【００４３】
実施の形態５
この表示装置は実施の形態１、２の軸体６を、支持体４の光学シート３と反対側（後側）から嵌入孔４３に嵌入されている小径の軸部、及び該軸部に連なり、支持体４の光学シート３と反対側に配されている大径部を有するピンである構成としたものである。
【００４４】
この表示装置にあっては、支持体４の後側から軸体６の小径軸部を嵌入孔４３に圧入することにより、大径部の端面が嵌入孔４３の縁周りに当接し、軸体６を固定することができる。
【００４５】
また、軸体６は嵌入孔４３に圧入されているピンであるため、螺子加工を行うことなく軸体６を取付けることができ、コストを低減できる。
その他の構成及び作用は実施の形態１と同様であるため、同様の部品については同じ符号を付し、その詳細な説明及び作用効果の説明を省略する。
【００４６】
実施の形態６
この表示装置は実施の形態３、４の軸体６を、支持体４の光学シート３側から嵌入孔４３に嵌入されている小径軸部、及び該小径軸部に連なり、支持体４の光学シート３側に配されている大径軸部を有するピンである構成としたものである。
【００４７】
この表示装置にあっては、支持体４の光学シート３側から軸体６の小径軸部を嵌入孔４３に圧入することにより、大径軸部の端面が嵌入孔４３の縁周りに当接し、固定することができる。
【００４８】
また、軸体６は嵌入孔４３に圧入されているピンであるため、螺子加工を行うことなく軸体６を取付けることができ、コストを低減できる。
その他の構成及び作用は実施の形態１と同様であるため、同様の部品については同じ符号を付し、その詳細な説明及び作用効果の説明を省略する。
【００４９】
尚、以上説明した実施の形態では支持体４の両側のシート受部４２，４２に軸体６を取付けたが、その他、一側のシート受部４２にだけ軸体６を取付ける構成としてもよい。
【図面の簡単な説明】
【００５０】
【図１】本発明に係る光源装置が組み込まれている表示装置の構成を示す断面図である。
【図２】本発明に係る表示装置の構成を示す分解した断面図である。
【図３】本発明に係る表示装置の他の構成を示す断面図である。
【図４】本発明に係る表示装置の他の構成を示す分解した断面図である。
【図５】本発明に係る表示装置の他の構成を示す断面図である。
【図６】本発明に係る表示装置の他の構成を示す分解した断面図である。
【図７】本発明に係る表示装置の他の構成を示す断面図である。
【図８】本発明に係る表示装置の他の構成を示す分解した断面図である。
【図９】本発明出願人が先に開発した表示装置の構成を示す断面図である。
【図１０】先に開発した表示装置の構成を示す分解図である。
【図１１】先に開発した表示装置の規制部材の構成を示す斜視図である。
【図１２】先に開発した表示装置の支持体の一部の構成を示すもので、(a) は正面図、(b) は側面図である。
【符号の説明】
【００５１】
１    表示パネル
１２，１３  保持枠体
１５  押付部
２    ランプ
３    光学シート
４    支持体
４３  嵌入孔
６    軸体
６１  螺子部（小径軸部）
６２  大径部
６３  大径軸部
Ａ    光源装置
【図１】
2008292690.tif 000003
【図２】
2008292690.tif 000004
【図３】
2008292690.tif 000005
【図４】
2008292690.tif 000006
【図５】
2008292690.tif 000007
【図６】
2008292690.tif 000008
【図７】
2008292690.tif 000009
【図８】
2008292690.tif 000010
【図９】
2008292690.tif 000011
【図１０】
2008292690.tif 000012
【図１１】
2008292690.tif 000013
【図１２】
2008292690.tif 000014